(57)【要約】【課題】発光素子のランクの識別を低コストで実施可能な給電装置を提供する。【解決手段】発光素子２０が実装された基板３０と、発光素子２０を駆動させるＬＥＤドライバ４０と、基板３０とＬＥＤドライバ４０との間に介在され、ＬＥＤドライバ４０からの駆動用の電力を基板３０に伝達する電力伝達部としての給電ホルダ１０と、を備え、給電ホルダ１０は、発光素子２０と並列にＬＥＤドライバ４０に接続され、発光素子２０のランクに応じた所定の抵抗値を有するランク識別抵抗体７２を備える給電装置とした。【選択図】図１
2019204629.tif 000002
【特許請求の範囲】
【請求項１】
発光素子が実装された基板と、
前記発光素子を駆動させるドライバと、
前記基板と前記ドライバとの間に介在され、前記ドライバからの駆動用の電力を前記基板に伝達する電力伝達部と、
を備え、
前記電力伝達部は、前記発光素子と並列に前記ドライバに接続され、前記発光素子のランクに応じた所定の抵抗値を有するランク識別抵抗体を備える給電装置。
【請求項２】
請求項１に記載の給電装置において、
前記電力伝達部は、前記基板を保持し、かつ、前記基板に前記電力の伝達を行う給電ホルダを備え、
前記ランク識別抵抗体は、前記給電ホルダに設けられている給電装置。
【請求項３】
請求項２に記載の給電装置において、
前記給電ホルダは、前記発光素子と前記ドライバの駆動電力出力部とに接続される第１フレームと、前記発光素子と前記ドライバの接地側とに接続される第２フレームと、前記ドライバのランク識別部に接続される第３フレームとを有するリードフレームを備え、
前記ランク識別抵抗体を介して前記第２フレームと前記第３フレームとが接続されている給電装置。
【請求項４】
請求項３に記載の給電装置において、
前記第２フレームと前記第３フレームとは、それぞれ、前記ランク識別抵抗体を圧接可能な圧接部を備える給電装置。
【請求項５】
請求項１に記載の給電装置において、
前記電力伝達部は、前記基板を保持し、かつ、前記基板に前記電力の伝達を行う給電ホルダと、前記ドライバに接続されたドライバ側ハーネスと、の間に介在される中継コネクタを備え、
前記ランク識別抵抗体は、前記中継コネクタに設けられている給電装置。
【請求項６】
請求項２または請求項５に記載の給電装置において、
前記抵抗値が異なる複数の前記ランク識別抵抗体が並設され、
前記複数の前記ランク識別抵抗体のうちの１つを前記発光素子に並列に接続するよう切替可能な接続切替部を備える給電装置。
【発明の詳細な説明】
【技術分野】
【０００１】
本開示は、給電装置に関する。
【背景技術】
【０００２】
発光ダイオード素子や有機ＥＬ素子などの発光素子は、その輝度特性に応じて光束ランクでランク分けされている。
そして、従来、発光素子のランクが異なっていても所望の輝度で発光させることができる発光素子駆動装置が知られている（例えば、特許文献１参照）。
この発光素子駆動装置は、基板に発光素子のランクに応じた抵抗値を有したランク識別抵抗体が発光素子と並列に実装されている。
【先行技術文献】
【特許文献】
【０００３】
【特許文献１】特開２０１６−２２５２０８号公報
【発明の概要】
【発明が解決しようとする課題】
【０００４】
しかしながら、上記の従来技術では、発光素子が実装された基板にランク識別抵抗体を実装する必要があり、基板の大型化および高コスト化を招いていた。
【０００５】
本発明は、上記問題に着目して成されたもので、発光素子のランクの識別を低コストで実施可能な給電装置を提供することを目的とする。
【課題を解決するための手段】
【０００６】
上述の目的を達成するため、本開示の給電装置は、
発光素子が実装された基板と前記発光素子を駆動させるドライバとの間に介在され、前記ドライバからの駆動用の電力を前記基板に伝達する電力伝達部を備え、
前記電力伝達部は、前記発光素子と並列に前記ドライバに接続され、前記発光素子のランクに応じた所定の抵抗値を有するランク識別抵抗体を備える。
【発明の効果】
【０００７】
本開示の給電装置では、基板にランク識別抵抗体を実装する必要が無くなり、基板の小型化および低コスト化を図ることが可能となる。
【図面の簡単な説明】
【０００８】
【図１】実施の形態１の要部である給電装置の給電ホルダ１０およびドライバ側ハーネス５０の正面図である。
【図２】前記給電ホルダ１０に設けられたリードフレーム６０の正面図である。
【図３】前記給電ホルダの抵抗器収容部１２を示す側面図である。
【図４】実施の形態１の給電装置の回路図である。
【図５】実施の形態２の給電装置の主要部を示す側面図である。
【図６】実施の形態２の給電装置の回路図である。
【図７】実施の形態３の給電装置の回路図である。
【図８Ａ】実施の形態３の給電装置の要部である中継コネクタ３２０およびドライバ側ハーネス５０を示す側面図である。
【図８Ｂ】実施の形態３の給電装置の要部である中継コネクタ３２０を示す平面図である。
【図８Ｃ】実施の形態３の給電装置の要部である抵抗値切替器３００を示す断面図である。
【図８Ｄ】実施の形態３の給電装置の要部である抵抗値切替器３００のスイッチ基板３３３を示す平面図である。
【図９】実施の形態４の給電装置の回路図である。
【発明を実施するための形態】
【０００９】
以下、本発明の実施の形態を図面に基づいて説明する。
（実施の形態１）
実施の形態１の給電装置は、図１に示す給電ホルダ１０を備える。なお、図１は、実施の形態１の要部である給電装置の給電ホルダ１０およびドライバ側ハーネス５０の正面図である。
【００１０】
この給電ホルダ１０は、例えば、前照灯などの車両用灯具に用いられるもので、不図示のヒートシンクに取り付けられる。
なお、車両用灯具は、光源として発光素子２０を備え、さらに、この発光素子２０の光を拡散し照射させるためのリフレクタ（不図示）、投影レンズ（不図示）などを備える周知のものである。また、本実施の形態１では、発光素子２０として、マルチチップＬＥＤ（light emitting diode）が用いられている（図４参照）。
【００１１】
給電ホルダ１０は、前述の発光素子２０が実装された基板３０を保持し、発光素子２０を駆動させるＬＥＤドライバ４０（図４参照）に接続されたドライバ側ハーネス５０から供給される駆動用の電力を、基板３０に伝達する。そこで、給電ホルダ１０は、ドライバ側ハーネス５０の先端部に設けられた接続用のハーネス側コネクタ５１に接続されるホルダ側コネクタ部１１を有するとともに、このホルダ側コネクタ部１１と基板３０との間で電力を伝達するリードフレーム６０を有する。
【００１２】
図２はリードフレーム６０を示す正面図であり、リードフレーム６０は、第１フレーム６１と、第２フレーム６２と、第３フレーム６３とを有する。
【００１３】
第１フレーム６１は、第１端子６１ａ、第１接点バネ６１ｂ、３つの第１基板押さえバネ６１ｃ，６１ｃ，６１ｃを有する。
【００１４】
第１端子６１ａは、ホルダ側コネクタ部１１に配置され、図４に示すように、ハーネス側コネクタ５１およびドライバ側ハーネス５０を介して、ＬＥＤドライバ４０において駆動用の電力を供給する駆動電力出力部４１に接続される。
また、第１接点バネ６１ｂは、基板３０において発光素子２０のアノード側の電極にバネ力により弾性的に押圧した状態で接続されている。そして、この第１接点バネ６１ｂのバネ力および後述の第２接点バネ６２ｂのバネ力により、基板３０は不図示のヒートシンクの所定位置に押し当てられて固定されている。
また、３つの第１基板押さえバネ６１ｃ，６１ｃ，６１ｃは、後述する第２フレーム６２の第２基板押さえバネ６２ｃと共に基板３０の４箇所に近接配置されて、基板３０が不図示のヒートシンクから浮き上がるのを抑制している。そして、この基板３０の浮き上がり抑制により、第１接点バネ６１ｂおよび後述の第２接点バネ６２ｂの変形を防止している。
【００１５】
第２フレーム６２は、図２に示すように、第２端子６２ａ、第２接点バネ６２ｂ、第２基板押さえバネ６２ｃを有する。
【００１６】
第２端子６２ａは、ホルダ側コネクタ部１１に配置され、図４に示すように、ハーネス側コネクタ５１およびドライバ側ハーネス５０を介して、ＬＥＤドライバ４０の接地部（ＧＮＤ）４２側に接続される。
また、第２接点バネ６２ｂは、基板３０において発光素子２０のカソード側の電極にバネ力により弾性的に押圧した状態で接続されている。
【００１７】
第３フレーム６３は、図２に示すように、第３端子６３ａを有する。この第３端子６３ａは、前述した第１端子６１ａ、第２端子６２ａと共に、ホルダ側コネクタ部１１に配置されている（図１参照）。そして、第３端子６３ａは、図４に示すように、ハーネス側コネクタ５１およびドライバ側ハーネス５０を介してＬＥＤドライバ４０のランク識別部４３に接続される。
【００１８】
図２に戻り、第２フレーム６２および第３フレーム６３には、圧接部６２ｄ、６３ｄが対向して設けられている。この圧接部６２ｄ、６３ｄは、図３に示すように、給電ホルダ１０に凹状に形成されて給電ホルダ１０の側面１０ｓに開口部１２ａを有した抵抗器収容部１２の底面１２ｂから突出して設けられている。そして、圧接部６３ｄの先端部には、リード線７１を圧接状態で挿入するための断面がＵ字状の挿入溝６３ｅが形成されている。なお、第２フレーム６２の圧接部６２ｄにも、挿入溝６３ｅと同様の挿入溝が形成されているが図示は省略する。
【００１９】
ランク識別抵抗器７０は、内部に、ランク識別抵抗体７２（図４参照）を有し、両端にランク識別抵抗体７２に接続されたリード線７１，７１を有する。このランク識別抵抗体７２は、発光素子２０のランクに応じた抵抗値を有する。すなわち、周知のように、発光素子２０は、複数段階にランク分けされており、ランク識別抵抗体７２の抵抗値は、予め対応する発光素子２０のランクを示す値が設定されている。
【００２０】
そして、ランク識別抵抗器７０は、図１に示すように、リード線７１，７１が圧接部６２ｄ，６３ｄに圧接されている。よって、ランク識別抵抗器７０は、図２に示す第２フレーム６２と第３フレーム６３とに跨って設けられ、図４に示すように、ＬＥＤドライバ４０のランク識別部４３と接地部４２側とに接続される。
【００２１】
なお、ＬＥＤドライバ４０は、ランク識別部４３からの通電によりランク識別抵抗体７２の抵抗値を検出可能となっている。
また、ＬＥＤドライバ４０は、検出したランク識別抵抗体７２の抵抗値に基づいて得られたランクに応じて、駆動電力出力部４１から電力供給制御を行う。
なお、この電力供給制御としては、周知のように、ランクに応じた電流値を出力する制御や、ランクに応じたパルス幅変調（ＰＷＭ）制御を行う。
【００２２】
（実施の形態１の作用）
給電ホルダ１０の組付作業者は、基板３０に実装された発光素子２０のランクを確認後、そのランクに応じた抵抗値のランク識別抵抗体７２を備えたランク識別抵抗器７０を、給電ホルダ１０に装着する。その際、作業者は、ランク識別抵抗器７０の一対のリード線７１，７１を、抵抗器収容部１２の開口部１２ａから一対の圧接部６２ｄ，６３ｄの挿入溝６３ｅに挿入し圧接状態とする。
【００２３】
このように、ランク識別抵抗器７０を、単に、圧接により給電ホルダ１０に組み付けるため、半田付けなどの作業を伴うものと比較して、作業性に優れる。
また、ランク識別抵抗器７０を基板３０に実装するものと比較して、基板３０の構成を簡略化でき、低コスト化および小型化が可能である。
【００２４】
（実施の形態１の効果）
以下に、実施の形態１の給電装置の効果を列挙する。
(1)実施の形態１の給電装置は、
発光素子２０が実装された基板３０と、
発光素子２０を駆動させるＬＥＤドライバ４０と、
基板３０とＬＥＤドライバ４０との間に介在され、ＬＥＤドライバ４０からの駆動用の電力を基板３０に伝達する電力伝達部としての給電ホルダ１０と、
を備え、
給電ホルダ１０は、発光素子２０と並列に接続され、発光素子２０のランクに応じた所定の抵抗値を有するランク識別抵抗体７２を備える。
したがって、基板３０にランク識別抵抗体７２を実装する必要が無くなり、基板３０および全体の低コスト化、小型化を図ることが可能となる。
また、発光素子２０として、限られたランクのもののみを使用した場合、ランク識別抵抗体７２を用いるランク識別は不要となるものの、実情として発光素子２０の大幅なコストアップを招いてしまう。本実施の形態１では、これを回避して、ランクを限定しない発光素子２０を使用しながら、基板３０や給電ホルダ１０の小型化を図ることができる。
【００２５】
(2)実施の形態１の給電装置は、
給電ホルダ１０は、発光素子２０とＬＥＤドライバ４０の駆動電力出力部４１とに接続される第１フレーム６１と、発光素子２０とＬＥＤドライバ４０の接地部４２側とに接続される第２フレーム６２と、ＬＥＤドライバ４０のランク識別部４３に接続される第３フレーム６３とを有するリードフレーム６０を備え、
ランク識別抵抗体７２を介して第２フレーム６２と第３フレーム６３とが接続されている。
したがって、ランク識別抵抗体７２を第２フレーム６２と第３フレーム６３との間に介在させるため、ランク識別抵抗体７２の設置が容易である。
【００２６】
(3)実施の形態１の給電装置は、
第２フレーム６２と第３フレーム６３とは、それぞれ、ランク識別抵抗体７２を備えるランク識別抵抗器７０のリード線７１を圧接可能な圧接部６２ｄ，６３ｄを備える。
給電ホルダ１０にランク識別抵抗体７２を設けるにあたり、ランク識別抵抗器７０のリード線７１を圧接部６２ｄ，６３ｄに圧接して組み付けるようにしたため、作業性に優れる。
【００２７】
（他の実施の形態）
以下に、他の実施の形態の給電装置について説明する。なお、他の実施の形態の給電装置について説明するにあたり、共通するものには共通する符号を付けて説明を省略する。
【００２８】
（実施の形態２）
図５は、実施の形態２の給電装置の概略を示す図であり、実施の形態２の給電装置は、ドライバ側ハーネス５０と給電ホルダ２１０との間に中継コネクタ２２０を介在させ、この中継コネクタ２２０に、ランク識別抵抗器７０を設けた例である。
【００２９】
給電ホルダ２１０は、図５では図示を省略したリードフレームを備える。このリードフレームは、詳細は省略するが、実施の形態１の第１フレーム６１と、第２フレーム６２とに相当する２つのフレームを備える。なお、図６は、実施の形態２の給電装置を示す回路図であり、この回路図に、第１フレーム６１および第２フレーム６２を示す。
【００３０】
図５に戻り、中継コネクタ２２０は、給電ホルダ２１０のホルダ側コネクタ部２１１に接続される第１コネクタ部２２１と、ハーネス側コネクタ５１に接続される第２コネクタ部２２２とを備える。
【００３１】
なお、図６において模式的に示すように、第１コネクタ部２２１には、ホルダ側コネクタ部２１１の第１端子６１ａと第２端子６２ａとの２つの両端子６１ａ，６２ａに、接続される２つの雌端子部分を有する。
【００３２】
一方、ハーネス側コネクタ５１および第２コネクタ部２２２は、詳細な図示は省略するが、実施の形態１と同様に３箇所の雌雄の接続端子部２２２ａ，２２２ｂ、２２２ｃを有する。
【００３３】
さらに、中継コネクタ２２０には、第１コネクタ部２２１と第２コネクタ部２２２との間に、ランク識別抵抗器７０が設けられている。
すなわち、中継コネクタ２２０には、発光素子２０のカソード側とＬＥＤドライバ４０の接地部４２側とを接続する中継回路２２０ａと並列に、ＬＥＤドライバ４０のランク識別部４３に接続される中継回路２２０ｂが設けられている。そして、この中継回路２２０ｂに、実施の形態１で示した圧接部６２ｄ，６３ｄと同様の圧接部２２３，２２４が設けられ、両圧接部２２３，２２４にランク識別抵抗器７０のリード線７１，７１が圧接されている。
【００３４】
なお、中継コネクタ２２０には、図５に示すように、抵抗器収容部２３０が凹状に形成されている。そして、圧接部２２３，２２４は、抵抗器収容部２３０の底面２３１から抵抗器収容部２３０内に突出されている。
【００３５】
ここで、ランク識別抵抗器７０は、実施の形態１と同様に、接続する発光素子２０のランクに応じて、圧接部２２３，２２４に接続するようにしてもよい。あるいは、複数種類の抵抗値のランク識別抵抗器７０を、それぞれ、予め中継コネクタ２２０に組み込んでおいて、接続する発光素子２０のランクに応じた抵抗値のランク識別抵抗器７０が汲み付けられた中継コネクタ２２０を選択して接続してもよい。
【００３６】
（実施の形態２の作用）
給電ホルダ２１０の組付作業者は、まず、基板３０に実装された発光素子２０のランクを確認する。その後、そのランクに応じたランク識別抵抗器７０が組み込まれた中継コネクタ２２０を給電ホルダ２１０に接続し、さらに、中継コネクタ２２０にハーネス側コネクタ５１を接続する。
【００３７】
なお、中継コネクタ２２０は、予め、ランク識別抵抗器７０を組み付けておき、発光素子２０のランクに応じた抵抗値のランク識別抵抗器７０が汲み付けられた中継コネクタ２２０を選択し、接続するようにしてもよい。
【００３８】
あるいは、接続対象の給電ホルダ２１０の基板３０の発光素子２０のランクを確認した後、発光素子２０のランクに応じた抵抗値のランク識別抵抗器７０を中継コネクタ２２０に組み付け、これを、給電ホルダ２１０に接続するようにしてもよい。
【００３９】
（実施の形態２の効果）
(2-1)実施の形態２の給電装置は、
基板３０とＬＥＤドライバ４０との間に介在されてＬＥＤドライバ４０からの駆動用の電力を基板３０に伝達する電力伝達部は、基板３０を保持し、かつ、基板３０に電力の伝達を行う給電ホルダ２１０と、ＬＥＤドライバ４０に接続されたドライバ側ハーネス５０と、の間に介在される中継コネクタ２２０を備え、
ランク識別抵抗体７２を備えたランク識別抵抗器７０は、中継コネクタ２２０に設けられている。
したがって、基板３０にランク識別抵抗体７２を実装する必要が無くなり、基板３０および全体の低コスト化、小型化を図ることが可能となる。
【００４０】
（実施の形態３）
次に、実施の形態３の給電装置について説明する。この実施の形態３は、実施の形態２の変形例であり、抵抗値を可変設定可能な抵抗値切替器３００を中継コネクタ３２０に組み付けた例である（図８Ａ参照）。
【００４１】
実施の形態３の給電装置の回路図である図７に示すように、抵抗値切替器３００は、並列に設けられた複数（３個）のランク識別抵抗器３７０ａ，３７０ｂ，３７０ｃと、接続切替スイッチ３３０とが設けられている。
【００４２】
ランク識別抵抗器３７０ａ，３７０ｂ，３７０ｃは、それぞれ、内蔵されたランク識別抵抗体３７２ａ，３７２ｂ，３７２ｃの抵抗値が、発光素子２０のランクに応じて異なる値に設定されている。なお、実施の形態３では、発光素子２０のランクとして、Ａ，Ｂ,Ｃの３段階に分けられているものとする。
【００４３】
また、接続切替スイッチ３３０は、複数のランク識別抵抗体３７２ａ，３７２ｂ，３７２ｃのうちの１つを発光素子２０に選択的に並列接続するよう切替可能となっている。
【００４４】
以下に、抵抗値切替器３００の構成をより具体的に説明する。
図８Ａは、中継コネクタ３２０およびドライバ側ハーネス５０を示す側面図であり、図８Ｂは中継コネクタ３２０を示す平面図、すなわち、中継コネクタ３２０を図８Ａの上方から見降ろした図である。
【００４５】
中継コネクタ３２０の抵抗値切替器３００は、上面３２１にスライド溝３２２が開口され、かつ、スライド溝３２２の横にランク表示部３２３が設けられている。
【００４６】
そして、スライド溝３２２に沿ってスライド可能にスライダ３３１が設けられている。
スライダ３３１は、前述した接続切替スイッチ３３０の切替操作を行うものである。また、接続切替スイッチ３３０は、スライダ３３１と一体的に移動可能な図８Ｃに示す接点部３３２と、図８Ｄに示すスイッチ基板３３３とを備える。
【００４７】
接点部３３２は、図８に示すように、スライダ３３１の下端に取り付けられ、球状接点３３２ａと、この球状接点３３２ａを保持するホルダ３３２ｂとを備える。また、球状接点３３２ａは、スイッチ基板３３３に圧接されるように弾性体３３２ｃにより下方に付勢されている。
【００４８】
スイッチ基板３３３は、図８Ｄに示す矢印ＳＴで示す球状接点３３２ａの移動軌跡に沿って設けられたレール状端子３４１と、各ランク識別抵抗器３７０ａ，３７０ｂ，３７０ｃに接続された３つの端子３４２ａ，３４２ｂ，３４２ｃを備える。そして、３つの端子３４２ａ，３４２ｂ，３４２ｃは、それぞれ、ランク表示部３２３の各表示（Ａ，Ｂ，Ｃ）の位置に対応して配置されている。
【００４９】
したがって、スライダ３３１を、それぞれ、ランク表示部３２３のＡ，Ｂ，Ｃの各表示（Ａ，Ｂ，Ｃ）の位置に配置した際に、３つの端子３４２ａ，３４２ｂ，３４２ｃのいずれかとレール状端子３４１とが球状接点３３２ａを介して接続される。
なお、図７、図８Ｄに示すように、レール状端子３４１は、中継コネクタ３２０の中継回路２２０ｂに接続され、３つの端子３４２ａ，３４２ｂ，３４２ｃは、端子本体３４２を介して中継コネクタ３２０の中継回路２２０ａに接続されている。
【００５０】
したがって、接続切替スイッチ３３０のスライダ３３１のスライド操作により、ＬＥＤドライバ４０に対し発光素子２０と並列に接続するランク識別抵抗器３７０ａ，３７０ｂ，３７０ｃを選択することが可能となっている。
【００５１】
（実施の形態３の作用）
給電ホルダ２１０の組付作業者は、基板３０に実装された発光素子２０のランクを確認後、中継コネクタ３２０の接続切替スイッチ３３０のスライダ３３１を、ランク表示部３２３において発光素子２０のランクに対応する位置（Ａ，Ｂ，Ｃ）にスライドさせる。これにより、接点部３３２の球状接点３３２ａは、３つのランク識別抵抗器３７０ａ，３７０ｂ，３７０ｃのうち、発光素子２０のランクに応じたものをＬＥＤドライバ４０に接続した状態とする。
【００５２】
したがって、ランク識別部４３では、３つのランク識別抵抗器３７０ａ，３７０ｂ，３７０ｃのうちの接続されたものの抵抗値を検出し、駆動電力出力部４１から、発光素子２０のランクに応じた出力を行うことができる。
【００５３】
（実施の形態３の効果）
(3-1)実施の形態３の給電装置は、
抵抗値が異なる複数のランク識別抵抗体３７２ａ，３７２ｂ，３７２ｃが並設され、
複数のランク識別抵抗体３７２ａ，３７２ｂ，３７２ｃのうちの１つを発光素子２０に並列に接続するよう切替可能な接続切替部としての接続切替スイッチ３３０を備える。
したがって、基板３０にランク識別抵抗体７２を実装する必要が無くなり、基板３０および全体の低コスト化、小型化を図ることが可能となる。加えて、発光素子２０のランクに応じた抵抗値に設定するにあたり、接続切替スイッチ３３０のスライダ３３１を、ランクに応じた位置にスライドさせるだけで済むため、作業性に優れる。
また、接続切替スイッチ３３０はスライダ３３１のスライドにより抵抗値を切り替えるようにしたため、例えば、その切替可能な数を増減させるのを容易に行うことができる。
【００５４】
（実施の形態４）
図９は実施の形態４の給電装置を示す回路図である。
この実施の形態４は、実施の形態３で示した抵抗値切替器３００を、実施の形態１で示した給電ホルダ１０の第２フレーム６２と第３フレーム６３との間に設けた例である。
実施の形態１との相違点は、第２フレーム６２の圧接部６２ｄに替えて、抵抗値切替器３００と接続する接点４０１を設け、第３フレーム６３の圧接部６３ｄに替えて、抵抗値切替器３００と接続する接点４０２を設けた点である。
【００５５】
したがって、実施の形態４の給電装置にあっても、実施の形態３と同様の作用効果を得ることができる。
【００５６】
以上、本開示の給電装置を実施の形態に基づき説明してきたが、具体的な構成については、この実施の形態に限られず、特許請求の範囲の各請求項に係る発明の要旨を逸脱しない限り、設計の変更や追加などは許容される。
【００５７】
例えば、実施の形態３、４では、抵抗値切替器３００において抵抗値を３通りに切替可能とした例を示したが、その切替可能な数は、複数であれば３に限定されるものではない。
また、発光素子としても、実施の形態で示した、マルチチップＬＥＤに限定されるものではなく、ランク分けされた発光素子であれば、他の発光素子にも適用できる。
また、実施の形態では、ランク識別抵抗体を備えたランク識別抵抗器のリード線の接続を、圧接部に対して圧接させて行う例を示したが、その接続は、圧接に限定されるものではない。例えば、はんだ付けなどの溶着や接着などを用いてもよい。
【符号の説明】
【００５８】
１０   給電ホルダ（電力伝達部）
２０   発光素子
３０   基板
４０   ＬＥＤドライバ
４１   駆動電力出力部
４２   接地部
４３   ランク識別部
５０   ドライバ側ハーネス
６０   リードフレーム
６１   第１フレーム
６２   第２フレーム
６２ｄ 圧接部
６３   第３フレーム
６３ｄ 圧接部
７０   ランク識別抵抗器
７２   ランク識別抵抗体
２１０ 給電ホルダ（電力伝達部）
２２０ 中継コネクタ（電力伝達部）
２２３ 圧接部
２２４ 圧接部
３００ 抵抗値切替器（接続切替部）
３２０ 中継コネクタ（電力伝達部）
３７２ａ      ランク識別抵抗体
３７２ｂ      ランク識別抵抗体
３７２ｃ      ランク識別抵抗体
【図１】
2019204629.tif 000003
【図２】
2019204629.tif 000004
【図３】
2019204629.tif 000005
【図４】
2019204629.tif 000006
【図５】
2019204629.tif 000007
【図６】
2019204629.tif 000008
【図７】
2019204629.tif 000009
【図８Ａ】
2019204629.tif 000010
【図８Ｂ】
2019204629.tif 000011
【図８Ｃ】
2019204629.tif 000012
【図８Ｄ】
2019204629.tif 000013
【図９】
2019204629.tif 000014